(57)【要約】      （修正有）【課題】天井部から吊りボルトに伝わる振動を、この吊りボルト内で減衰して、その下方の天井下地材への伝播を抑制することのできる天井下地用吊りボルトを提供する。【解決手段】吊りボルト１を上部側ボルト１ａと下部側ボルト１ｂとに分割し、上下両ボルト１ａ，１ｂ間に制振具６を介装した天井下地用吊りボルト１であって、制振具６は、第１コ字枠片１１と第２コ字枠片１２とを互いに内向きで段違いに嵌め合わせた状態で、第１コ字枠片１１の上部横板７と第２コ字枠片１２の上部横枠７とに亘って上部側ボルト１ａを貫通させ且つ第１コ字枠片１１の下部横枠８と第２コ字枠片１２の下部横板８とに亘って下部側ボルト１ｂを貫通させると共に、上部側ボルト１ａには上部横板７を挟むように振動減衰部材１０，２０を取り付けてナットで締着し、下部側ボルト１ｂには下部横枠８を挟むように振動減衰部材１０，２０を取り付けてナットで締着した。【選択図】図１
0003149450.tif 000002
【実用新案登録請求の範囲】
【請求項１】
構造物の天井部に垂下連結され、下端部に天井下地材が吊持される天井下地用吊りボルトであって、吊りボルトを上部側ボルトと下部側ボルトとに分割して、上下両ボルト間に制振具を介装し、この制振具は、貫通孔を有する上下横板と両横板をつなぐ縦板とからなる第１及び第２の一対のコ字枠片を互いに内向きで段違いに嵌め合わせた状態で、第１コ字枠片の上部横板と第２コ字枠片の上部横枠とに亘って上部側ボルトの下端部を貫通させ且つ第１コ字枠片の下部横枠と第２コ字枠片の下部横板とに亘って下部側ボルトの上端部を貫通させると共に、上部側ボルトには内方側の上部横板を挟み且つその上部横板の貫通孔とボルトとの間隙を埋めるように振動減衰部材を取り付けてナットで締着し、下部側ボルトには内方側の下部横枠を挟み且つその下部横枠の貫通孔とボルトとの間隙を埋めるように振動減衰部材を取り付けてナットで締着することにより構成されることを特徴とする天井下地用吊りボルト。
【請求項２】
振動減衰部材は、ゴム状弾性体によってリング状に形成されたものからなることを特徴とすることを特徴とする請求項１に記載の天井下地用吊りボルト。
【請求項３】
上部側ボルト上で上下に隣り合う上部横板のうち内方側の上部横板は、その先端部が半円状に形成され、下部側ボルト上で上下に隣り合う下部横板のうち内方側の下部横板は、その先端部が半円状に形成されていることを特徴とする請求項１又は２に記載の天井下地用吊りボルト。
【考案の詳細な説明】
【技術分野】
【０００１】
本考案は、構造物の天井部に垂下連結され、下端部にハンガー、野縁受け、野縁等の天井下地材が吊持される天井下地用吊りボルトに関するもので、特に制振具を介装した天井下地用吊りボルトに関する。
【背景技術】
【０００２】
図４は従来の鋼製天井下地を示すもので、天井スラブ（天井部）Ａに埋設されたインサートナットＢに吊りボルト１が垂下連結され、この吊りボルト１の下端部にハンガー２が取り付けられ、このハンガー２には野縁受け３が支持され、この野縁受け３にクリップ４を介して野縁５が吊支され、そしてこの野縁５に天井板Ｃが釘打ちによって取り付けられるようになっている。
【考案の概要】
【考案が解決しようとする課題】
【０００３】
上記のような鋼製天井下地を、例えば、普段から振動の激しい例えば地下鉄内の建物に採用した場合に、車両走行時の振動が建物躯体の天井部から吊りボルトに伝播し、この吊りボルトの振動によりハンガー、野縁受け、野縁等が振動して金属音を発生すると共に、天井板の目地部に亀裂が生じる等の問題がある。
【０００４】
本考案は、上記の課題に鑑み、天井部から吊りボルトに伝わる振動を、この吊りボルト内で減衰して、その下方の天井下地材への伝播を抑制することのできる天井下地用吊りボルトを提供することを目的とする。
【課題を解決するための手段】
【０００５】
上記課題を解決するための手段を、後述する実施形態の参照番号を付して説明すると、請求項１に係る考案は、構造物の天井部に垂下連結され、下端部に天井下地材が吊持される天井下地用吊りボルトであって、吊りボルト１を上部側ボルト１ａと下部側ボルト１ｂとに分割して、上下両ボルト１ａ，１ｂ間に制振具６を介装し、この制振具６は、貫通孔１３，２３を有する上下横板７，８と両横板７，８をつなぐ縦板９とからなる第１及び第２の一対のコ字枠片１１，１２を互いに内向きで段違いに嵌め合わせた状態で、第１コ字枠片１１の上部横板７と第２コ字枠片１２の上部横枠７とに亘って上部側ボルト１ａの下端部を貫通させ且つ第１コ字枠片１１の下部横枠８と第２コ字枠片１２の下部横板８とに亘って下部側ボルト１ｂの上端部を貫通させると共に、上部側ボルト１ａには内方側の上部横板７を挟み且つその上部横板７の貫通孔２３とボルト１ａとの間隙を埋めるように振動減衰部材１０，２０を取り付けてナット１４，１５で締着し、下部側ボルト１ｂには内方側の下部横枠８を挟み且つその下部横枠８の貫通孔２３とボルト１ｂとの間隙を埋めるように振動減衰部材１０，２０を取り付けてナット１６，１７で締着することにより構成されることを特徴とする。
【０００６】
請求項２は、請求項１に記載の天井下地用吊りボルトにおいて、振動減衰部材１０は、ゴム状弾性体によってリング状に形成されたものからなることを特徴とする。
【０００７】
請求項３は、請求項１又は２に記載の天井下地用吊りボルトにおいて、上部側ボルト１ａ上で上下に隣り合う上部横板７，７のうち内方側の上部横板７は、その先端部が半円状に形成され、下部側ボルト１ｂ上で上下に隣り合う下部横枠８のうち内方側の下部横板８は、その先端部が半円状に形成されていることを特徴とする。
【考案の効果】
【０００８】
上記解決手段による考案の効果を、後述する実施形態の参照番号を付して説明すると、請求項１に係る考案の天井下地用吊りボルトによると、例えば地下鉄内の建物において、車両走行時に発生する振動は、天井部から吊りボルト１の上部側ボルト１ａに伝播するが、制振具６の制振作用によって下部側ボルト１ｂへの伝播が抑制又は阻止される。即ち、図２の(a) に示すように、上部側ボルト１ａ上の上部横板７は第１コ字枠片１１に連結されているため、上部側ボルト１ａの振動は第１コ字枠片１１には伝わるが、その下部横枠８は、上下の振動減衰部材１０，２０によって挟まれると共にその貫通孔２３とボルト１ｂとの間隙が埋められて、下部側ボルト１ｂとの縁を切られているため、第１コ字枠片１１の振動は、振動減衰部材１０，２０の減衰効果により下部側ボルト１ｂに伝わるのを抑制又は阻止され、また第２コ字枠片１２の下部横枠８は第２コ字枠片１２に連結されているが、その上部横板７は、上下の振動減衰部材１０，２０によって挟まれると共にその貫通孔２３とボルト１ｂとの間隙が埋められて、上部側ボルト１ａとの縁を切られているため、上部側ボルト１ａの振動が第２コ字枠片１２に伝わるのを抑制又は阻止される。
【０００９】
請求項２の考案のように、振動減衰部材としてゴム状弾性体によってリング状に形成されたものを使用すれば、制振具６の製作コストを安くできる。
【００１０】
請求項３の考案によれば、上部側ボルト１ａ上で上下に隣り合う第１，第２コ字枠片１１，１２の上部横板７，７のうち内方側の上部横板７は先端部が半円状に形成され、また下部側ボルト１ｂ上で上下に隣り合う下部横枠８，８のうち内方側の下部横枠８は先端部が半円状に形成されているから、第１コ字枠片１１及び第２コ字枠片１２のうちの何れか一方が他方に対してボルト１ａ，１ｂを中心に回動するようなことがあっても、その一方のコ字枠片の上部横板７又は下部横枠８が他方のコ字枠片の縦板９と接触することを回避され、上部側ボルト１ａからの振動が下部側ボルト１ｂに伝播するを阻止される。
【図面の簡単な説明】
【００１１】
【図１】本考案に係る天井下地用吊りボルトの一実施形態を示す斜視図である。
【図２】(a) は制振具の一部断面正面図、(b) は制振具を横に倒した状態の斜視図、(c) は(a) のＸ−Ｘ線断面図である。
【図３】本考案の他の実施形態による天井下地用吊りボルトを示す正面図である。
【図４】従来の天井下地を示す正面図である。
【考案を実施するための形態】
【００１２】
以下に本考案の好適な実施形態について図面を参照しながら説明すると、図１は本考案に係る天井下地を示す斜視図で、天井スラブ（天井部）Ａに埋設されたインサートナットＢに吊りボルト１が垂下連結されていて、この吊りボルト１の下端部に、ハンガー２、野縁受け３、野縁５等の天井下地材が吊持される。即ち、吊りボルト１の下端部にはハンガー２が取り付けられ、このハンガー２に野縁受け３が支持され、この野縁受け３にクリップ４を介して野縁５が吊支され、この野縁５に天井板Ｃが釘打ちによって取り付けられるようになっている。しかして、本考案に係る天井下地用の吊りボルト１は、上部側ボルト１ａと、下部側ボルト１ｂとに分割されていて、上下両ボルト１ａ，１ｂ間に制振具６が介装されている。
【００１３】
上記制振具６について更に説明すれば、この制振具６は、第１コ字枠片１１及び第２コ字枠片１２と、４つの振動減衰部材１０とを有し、第１及び第２の各コ字枠片１１，１２は、長方形の鋼板材をプレス加工して、夫々上下横板７，８と両横板７，８をつなぐ縦板９とからなる側面視コ字状に形成されており、そして図２の(d) から分かるように、第１コ字枠片１１の上部横板７には上部側ボルト１ａが貫通するだけの貫通孔１３が設けられ、下部横枠８には下部側ボルト１ｂが貫通すると共に後記振動減衰部材１０の一部（肉薄円筒部１０ａ）を挿通させるための貫通孔２３が設けられている。
【００１４】
振動減衰部材１０，２０は、夫々ゴム状弾性体によってリング状に形成されたもので、図２の(a) ，(d) から分かるように、振動減衰部材１０の下端部には、内径がボルト１ａ，１ｂ（吊りボルト１）の外径と実質的に同じで、外径が第１コ字枠片１１の下部横枠８や第２コ字枠片１２の上部横板７の貫通孔２３と実質的に同じである肉薄円筒部１０ａが同軸一体に形成されている。また、振動減衰部材２０の上端面には、振動減衰部材１０の肉薄円筒部１０ａが内嵌し得るように内径が当該肉薄円筒部１０ａの外径より僅かに大きい嵌合凹部２０ａが同心状に形成されている。尚、これら振動減衰部材１０，２０を形成するゴム状弾性体としては、軟化剤を含む熱可塑性エラストマーが好ましく、また熱可塑性エラストマーとしては、スチレン系、オレフィン系、塩化ビニル系等の種々のタイプのものが使用される。
【００１５】
上記制振具６を組み立てるには、図２の(a) ，(b) ，(d) に示すように、第１コ字枠片１１と第２コ字枠片１２とが互いに内向きで段違いに嵌まり合う状態で、第１コ字枠片１１の上部横板７の貫通孔１３と第２コ字枠片１２の上部横板７の貫通孔２３とに亘って上部側ボルト１ａの下端部を貫通させ且つ第１コ字枠片１１の下部横枠８の貫通孔２３と第２コ字枠片１２の下部横枠８の貫通孔１３とに亘って下部側ボルト１ｂの上端部を貫通させると共に、上部側ボルト１ａには、上下に隣り合う上部横板７，７のうちの外方側（上方側）の上部横板７に接して内方側（下方側）の上部横板７を挟むように振動減衰部材１０，２０を介在させて、振動減衰部材１０の肉薄円筒部１０ａを上部横板７の貫通孔２３から振動減衰部材２０の嵌合凹部２０ａに嵌合させ、第１コ字枠片１１の上部横板７の上側に位置するナット１４と、第２コ字枠片１２の上部横板７の下側にある振動減衰部材２０の下面側に位置するナット１５とを上下対向方向にねじ込むことによって、両振動減衰部材１０，２０を締着し、また下部側ボルト１ｂには、上下に隣り合う下部横枠８，８のうちの外方側（下方側）の下部横枠８に接して内方側（上方側）の下部横枠８を挟むようにリング状振動減衰部材１０，２０を介在させて、振動減衰部材１０の肉薄円筒部１０ａを下部横枠８の貫通孔２３から振動減衰部材２０の嵌合凹部２０ａに嵌合させ、第１コ字枠片１１の下部横枠８の上側にある振動減衰部材１０の上面側に位置するナット１６と、第２コ字枠片１２の下部横枠８の下側にある振動減衰部材２０の下面に位置するナット１７とを上下対向方向にねじ込んで、両振動減衰部材１０，２０を締着すればよい。図２の(b) は制振具６を横に倒した状態を斜視図で示したものである。
【００１６】
図１及び図２の(b) ，(c) から分かるように、上部側ボルト１ａ上で上下に隣り合う第１，第２コ字枠片１１，１２の上部横板７，７のうち内方側（下方側）の上部横板７は、その先端部が半円状に形成され、また下部側ボルト１ｂ上で上下に隣り合う下部横枠８，８のうち内方側（上方側）の下部横枠８は、その先端部が半円状に形成されている。これは、互いに内向きで段違い状に嵌め合わさった第１，第２コ字枠片１１，１２の一方、例えば第２コ字枠片１２が他方の第１コ字枠片１１に対しボルト１ａ，１ｂを中心に図２の(c) の仮想線図示のように回動するようなことがあっても、第２コ字枠片１２の上部横板７が第１コ字枠片１１の縦板９と接触することを回避し、また第２コ字枠片１２の縦板９が第１コ字枠片１１の下部横枠８と接触することを回避するためである。
【００１７】
上記のようにして組み立てた制振具６の使用にあたっては、その上部側ボルト１ａを天井スラブ（天井部）ＡのインサートナットＢに垂下連結し、下部側ボルト１ｂの下端部にハンガー２を取り付ければよい。
【００１８】
上記のように吊りボルト１の中間部に制振具６を介装した天井下地を、振動の激しい地下鉄等の建物に採用した場合、車両走行時の振動は、建物躯体の天井スラブ（天井部）Ａから吊りボルト１の上部側ボルト１ａに伝播するが、制振具６の制振作用によって、下部側ボルト１ｂへの伝播が抑制又は阻止される。即ち、図２の(a) から分かるように、上部側ボルト１ａの上部横板７は第１コ字枠片１１に連結されているため、上部側ボルト１ａの振動はこの第１コ字枠片１１には伝わるが、その下部横枠８は、上下の振動減衰部材１０，２０で挟まれると共にその貫通孔２３とボルト１ｂとの間隙が振動減衰部材１０の一部である肉薄円筒部１０ａで埋められて、下部側ボルト１ｂとの縁を切られているため、第１コ字枠片１１の振動は、振動減衰部材１０の減衰効果によって下部側ボルト１ｂに伝わるのを抑制又は阻止され、また第２コ字枠片１２の下部横枠８は第２コ字枠片１２に連結されているが、その上部横板７は、上下の振動減衰部材１０，２０によって挟まれると共にその貫通孔２３とボルト１ｂとの間隙が振動減衰部材１０の一部である肉薄円筒部１０ａにより埋められて、上部側ボルト１ａとの縁を切られているため、上部側ボルト１ａの振動が第２コ字枠片１２に伝わるのを抑制又は阻止される。従って、天井下地を構成するハンガー２、野縁受け３、野縁５等の振動による金属音の発生や、天井板Ｃの目地部に亀裂が生じるようなことが少なくなる。
【００１９】
この制振具６の構成する第１及び第２の一対のコ字枠片１１，１２は、図１及び図２の(a) に示すように、第１コ字枠片１１が上側に位置し、第２コ字枠片１２が下側に位置する段違い状の配置関係となっているが、この制振具６を引っ繰り返して第１コ字枠片１１が下側に位置し、第２コ字枠片１２が上側に位置する段違い状の配置関係となっても、その制振作用は同じである。
【００２０】
また、前記したように、上部側ボルト１ａ上で上下に隣り合う第１，第２コ字枠片１１，１２の上部横板７，７のうち内方側（下方側）の上部横板７は、その先端部が半円状に形成され、また下部側ボルト１ｂ上で上下に隣り合う下部横枠８，８のうち内方側（上方側）の下部横枠８は、その先端部が半円状に形成されているから、例えば第２コ字枠片１２が第１コ字枠片１１に対しボルト１ａ，１ｂを中心に図２の仮想線図示のように回動するようなことがあっても、第２コ字枠片１２の上部横板７が第２コ字枠片１２の縦板９と接触することを回避され、また第１コ字枠片１１の縦板９が第２コ字枠片１２の下部横枠８と接触することを回避し、これにより上部側ボルト１ａから第１コ字枠片１１に伝わった振動が第２コ字枠片１２を介して下部側ボルト１ｂに伝播するおそれがない。
【００２１】
また、この制振具６を構成する第１コ字枠片１１と第２コ字枠片１２とは、吊りボルト１の中心軸線を挟んでその左右両側に配置されるため、下部側ボルト１ｂが上部側ボルト１ａに対しバランスを崩すようなことがなく、同軸状態を維持することができる。
【００２２】
図３は本考案に係る天井下地の他の実施形態を示す。この天井下地では、傾斜状に配設されたＨ形材からなる勾配屋根枠１８に吊りボルト１が垂下連結されており、この吊りボルト１の中間部に制振具６が介装されている。即ち、吊りボルト１は、上部側ボルト１ａと下部側ボルト１ｂとに分割されていて、上下両ボルト１ａ，１ｂ間に制振具６が介装されている。各吊りボルト１の上部側ボルト１ａは、第１部材２２と第２部材２３とからなる吊りボルト連結金具２１によって勾配屋根枠１８に垂下連結されている。各制振具６の構成及び作用については、図１及び図２によって説明したものと同じである。
【符号の説明】
【００２３】
１            吊りボルト
１ａ          上部側ボルト
１ｂ          下部側ボルト
２            ハンガー
３            野縁受け
４            クリップ
５            野縁
６            制振具
７            上部横板
８            下部横枠
９            縦板
１０，２０    振動減衰部材
１１          第１コ字枠片
１２          第２コ字枠片
１３，２３    貫通孔
１４〜１７    ナット
【図１】
0003149450.tif 000003
【図２】
0003149450.tif 000004
【図３】
0003149450.tif 000005
【図４】
0003149450.tif 000006